(57)【要約】【課題】  画像読み取りまたはプリントの後に、写真フイルムの種別に基づいて、ネガフイルムとそれ以外とを効率良く区分できるフイルム処理システムを提供することを課題とする。【解決手段】  オートフイルムローダにはバーコードリーダが設けられている。オートフイルムローダから画像読取装置１０へ写真フイルムが送り込まれる前に、バーコードリーダにてオーダー番号を読み取り、フイルム種別を判断する。画像読み取り後のフイルムがネガフイルムの場合、蓋１５１が閉じられ、フイルムはその上を通過してフイルムカッタインサータ部６０に搬送される。画像読み取り後のフイルムがネガフイルム以外の場合、蓋１５１が開けられその蓋に沿ってフイルム収容部１２に収容される。【選択図】        図１
2006091751.tif 000002
【特許請求の範囲】
【請求項１】
長尺状の写真フイルムを自動供給するオートフイルムローダと、前記オートフイルムローダから供給された前記写真フイルムの画像の読み取りまたは焼付けを行うフイルムワーキング手段と、写真フイルムがネガフイルムかそれ以外かの種別を判別する写真フイルム判別手段と、前記ワーキング手段の下流に設けられ、前記判別手段で判別された写真フイルムの種別に基づいて仕分けする仕分け手段とを有することを特徴とする写真フイルム処理システム。
【請求項２】
前記写真フイルムにはその種別が判別できる情報が記録されたテープが貼られており、前記写真フイルム判別手段は前記仕分け手段の上流に配置され前記情報を検出するセンサを備え、
前記センサからの信号によって前記写真フイルムの種別を判別することを特徴とする請求項１に記載の写真フイルム処理システム。
【請求項３】
前記仕分け手段は、前記写真フイルムワーキング手段からの排出路の底面を構成する開閉自在の蓋と、前記写真フイルム判別手段からの判別信号を受けて前記蓋の開閉を制御する制御部とを備え、
前記写真フイルム判別手段がネガフイルムと判別したときに前記蓋を閉じ、ネガフイルム以外と判別したときに前記蓋を開くことで前記写真フイルムを二つの方向へ仕分けることを特徴とする請求項２に記載の写真フイルム処理システム。
【請求項４】
前記仕分け手段の下流に、前記写真フイルムをカットし収納袋に挿入するネガカッターインサータが配置され、
前記写真フイルム判別手段が前記写真フイルムをネガフイルムと判別した場合、前記制御部は前記蓋を閉じて前記写真フイルムをネガカッターインサータに供給することを特徴とする請求項３に記載の写真フイルム処理システム。
【発明の詳細な説明】
【技術分野】
【０００１】
本発明は写真フイルムの種別を判別し、ネガフイルムと判別した場合は該フイルムをネガカッターインサータへ排出し、ネガフイルム以外と判別した場合には該フイルムを写真フイルム収納部へ排出することができる写真フイルム処理システムである。
【背景技術】
【０００２】
写真フイルムに記録されている画像を読み取り、読み取り後にネガシートに効率よく挿入していく写真処理システムは、例えば特許文献１に記載されているように、オートフイルムローダと画像読取装置とネガカッターインサータから構成される。
【０００３】
特許文献１に記載のオートフイルムローダは積層したフイルム束を保持するフイルムホルダと、このフイルム束から１本のフイルムを分離し、このフイルムをフイルム搬送路へ送り込む給送ローラと、フイルム搬送路から画像読取装置へ送り込む搬送ローラとから構成される。特許文献１に記載の画像読取装置は、オートフイルムローダから送り込まれる写真フイルムを搬送させるフイルム搬送機構と、ＣＣＤラインセンサと光源とからなるスキャナ部と、読み取った画像データに画像処理を施す画像処理部と該画像データを表示する表示部とからなる。
【０００４】
３５ミリ幅フイルムであるネガフイルム、リバーサルフイルムのいずれも、このフイルムホルダは保持することができ、更に搬送ローラで画像読取装置にフイルムを送り込むことができる。画像読取装置は、写真フイルムがネガフイルムでもリバーサルフイルムでも上記スキャナの動作条件を合せることで、いずれの写真フイルムの画像も読み取ることができる。
【０００５】
しかし画像読取装置の下流で行うフイルム後処理は、フイルム種別に応じて処理が異なる。ネガフイルムの場合には、例えば特許文献１に記載されているように、読み取りが完了したネガフイルムをピース状にカットした後にネガシートに挿入する。またリバーサルフイルムの場合には、例えば特許文献２に示すようなフイルム集積ホルダ（フイルムキャッチャ）で、読み取りが完了した1本分のフイルムを自動的に受け取る。受け取り後に１コマずつカットして後にスライド用の収納容器へ入れる。
【特許文献１】特開２００２−１２８３４０号公報
【特許文献２】特開平５−２２４３１２号公報
【発明の開示】
【発明が解決しようとする課題】
【０００６】
ラボ店に持込まれる写真フイルムはネガフイルムが圧倒的に多いので、写真処理システムは、ネガフイルムが最適に処理されるように、オートフイルムローダ、画像読取装置、ネガカッターインサータで構成されている。そのためこの写真処理システムをそのまま使用してリバーサルフイルムを処理することができない。
【０００７】
そこで写真処理システムでリバーサルフイルムを処理するには、ネガフイルムとリバーサルフイルムを仕分ける作業を行う。次にフイルムホルダにリバーサルフイルムだけをセットする。そして一旦ネガフイルムの画像の読み取りを終わらせて、ネガカッターインサータを外して、読み取り後のリバーサルフイルムを受け取るフイルムキャッチャを取り付けていた。
【０００８】
従ってネガフイルムが最適に処理されるように構成された写真処理システムでリバーサルフイルムの画像を読み取るには、ネガフイルムとリバーサルフイルムを仕分ける作業と、ネガフイルムの画像読み取りを一旦終了させて、後処理装置であるネガカッターインサータからフイルムキャッチャに組み換えする作業が入るために、単位時間当たりのフイルム処理量は大きく下がってしまうという問題があった。
【０００９】
本発明は上記問題を解決するものであり、ネガフイルムとリバーサルフイルムとの仕分け、およびオートフイルムローダから画像読取装置へのフイルムの送り込み、画像読み取り、またはプリントするようにしても、それにより下流の後処理装置の組み換えを必要とせず、単位時間あたりの写真フイルムの処理量を低下させることがない写真フイルム処理システムを提供することを目的とする。
【課題を解決するための手段】
【００１０】
請求項１に記載の発明では、長尺状の写真フイルムを自動供給するオートフイルムローダと、前記オートフイルムローダから供給された写真フイルムの画像の読み取りまたは焼付けを行うフイルムワーキング手段と、写真フイルムがネガフイルムかそれ以外かの種別を判別するフイルム判別手段を備えていることを特徴とする。
【００１１】
請求項２に記載の発明では、前記写真フイルムにはその種別が判別できる情報が記録されたテープが貼られており、前記情報を検出するセンサを仕分け手段の上流に備え、前記センサからの信号で前記写真フイルムの種別を判別し仕分け手段を制御することを特徴とする。
【００１２】
請求項３に記載の発明では、更に前記仕分け手段は、前記フイルムワーキング手段からの排出路の底面を構成する開閉自在の蓋と、前記写真フイルム種別判別手段からの判別信号を受け、前記蓋の開閉を制御する制御部とを備え、前記写真フイルム判別手段がネガフイルムと判別したら前記蓋を閉じ、ネガフイルム以外と判別したときに前記蓋を開くことで前記写真フイルムを二つの方向へ仕分けることを特徴とする。
【００１３】
請求項４に記載の発明では、前記仕分け手段の下流に、前記写真フイルムをカットし収納袋に挿入するネガカッターインサータが配置され、前記写真フイルム種別判別手段が前記写真フイルムをネガフイルムと判別した場合、前記制御部は前記蓋を閉じて前記写真フイルムをネガカッターインサータに供給することを特徴とする。
【発明の効果】
【００１４】
請求項１に記載の発明によると、写真フイルム判別手段によって判別されたフイルムの種別に基づいて、フイルムワーキング手段から排出された写真フイルムを効率良く仕分けをすることができる。
【００１５】
請求項２に記載の発明によると、写真フイルムの種別を識別する情報が記録されたテープをセンサが検出し、写真フイルム判別手段で判別することで、写真フイルムを効率良く仕分けをすることができる。
【００１６】
請求項３に記載の発明によると、写真フイルム判別手段がネガフイルムと判別した時には蓋を閉じ、ネガフイルム以外と判別した時には蓋を開くことで、前記写真フイルムを二つの方向へ効率良く仕分けることができる。
【００１７】
請求項４に記載の発明によると、写真フイルムがネガフイルムと判別された場合、制御部が蓋を閉じてネガフイルムをネガカッターインサータに供給することで、ネガシートへ収納することができる。
【発明を実施するための最良の形態】
【００１８】
図１に本願発明の写真フイルム処理システムを示す。フイルムセット部３１、リザーバ部３２、連結部３３とからなるオートフイルムローダ３０と、画像読取装置１０と、仕分け部１５と、ネガカッターインサータ部６０とからなる。また仕分け部１５はフイルム収納部１２とつながっている。
【００１９】
図２は本発明の写真フイルム受付処理を示す。ラボ店に持ち込まれたフイルムはフイルム受付端末９０で受付けを済ませる。これは顧客が受付けを行えるセルフ型の受付機でもよい。受付端末９０では、ラボ店のオペレータが顧客と対話しながら注文情報をコンピュータＰＣ９２に入力する。更にオペレータはチェックテープ発行器９１で発行されるチェックテープ９３をフイルムの先端に貼る。チェックテープ９３は入力された注文情報と持ち込まれたフイルムを関連付けるためのものである。図３はチェックテープ９３の一例を示す。チェックテープ９３にはオーダー番号が印刷されている。オーダー番号はオペレータが読む数字情報９４と機械可読式コード（バーコード）９５で構成される。
【００２０】
図４は本発明の写真処理システム制御図を示す。オートフイルムローダ３０は、フイルムセット部３１、リザーバ部３２、連結部３３と、ＡＦＬ制御部３４とからなる。画像読取装置１０は、画像読取部１１とスキャナ制御部１７と仕分け部１５とフイルム収納部１２とからなる。スキャナ制御部１７はＡＦＬ制御部３４、ＰＣ９２と接続している。ＡＦＬ制御部３４はバーコードリーダＤ２から入力されるバーコード情報をデコードして注文情報に変換する。ＡＦＬ制御部３４で変換された注文情報はスキャナ制御部１７へ送られる。
【００２１】
スキャナ制御部１７は注文情報をＰＣ９２へ送り、注文情報からフイルム種別情報を取得する。スキャナ制御部１７は取得したフイルム種別情報から、次に送り込まれるフイルム種別に応じて仕分け部１５へ指示を出す。またスキャナ制御部１７は取得したフイルム種別情報から、次に送り込まれるフイルム種別に応じてスキャナ条件を変更する指示を画像読取部１１へ出力する。画像読取装置１０の下流にはネガカッターインサータ部６０がある。
【００２２】
図５にオートフイルムローダ連結部３３と画像読取装置１０間の制御図を示す。オートフイルムローダ連結部３３は、搬送モータＭ１、フイルム検出Ｄ１，バーコードリーダＤ２、フイルム検出Ｄ３、ＡＦＬ制御部３４、アラーム３５とからなる。ＡＦＬ制御部３４は搬送モータＭ１を制御してリザーバ部３２から連結部３３へフイルムを送り込む。バーコードリーダＤ２はチェックテープ９３のバーコード情報９５をスキャンする。バーコードが正常に解読された後にバーコードリーダＤ２はスキャンを停止する。スキャン完了信号をＡＦＬ制御部３４へ出力する。フイルム検出Ｄ３がフイルムを検出するとＡＦＬ制御部３４は搬送モータＭ１を停止させる。画像読取装置１０のフイルム検出Ｄ４はオートフイルムローダ連結部３３から送られてくるフイルムの先端と後端を検出するものである。フイルム検出Ｄ４はフイルムの先端を検出したときに信号がＬｏｗからＨｉになり、そしてフイルムの後端を検出したときに信号がＨｉからＬｏｗになる。
【００２３】
画像読取装置１０のスキャナ制御部１７からフイルム送り込み要求信号によって、ＡＦＬ制御部３４は画像読取装置１０へフイルムを送り込む。画像読取部１１内の搬送ローラ（図示せず）は送り込まれてきたフイルムを受け取る。画像読取部１１はネガフイルムやリバーサルフイルム等の写真フイルムに記録されているフイルム画像を読み取るもので、ＣＣＤスキャナ１６と光源部１９とで構成される。ＣＣＤスキャナ１６は結像光学系とエリアＣＣＤと画素ズラシ機構で構成されている。
【００２４】
光源部１９はＲ（レッド），Ｇ（グリーン），Ｂ（ブルー）、ＩＲ（赤外）のＬＥＤ発光素子群で構成され、各色は複数のＬＥＤ素子から成る。４色のＬＥＤ光源を時分割に点灯させて写真フイルムの画像を読み取り、色分解された各画像データを画像処理部１８へ出力する。なおＩＲ光は傷消し処理時に使用する。
【００２５】
また画像処理部１８は画像読取部１１で読み取った画像データを画像処理して記録用画像データとして、レーザプリンタ部２０へ出力する。また画像処理部１８は、画像処理を行った画像データを画像ファイルとして外部へ出力する。例えば、メモリカード等の記憶媒体やＨＤＤ等の外部記憶装置への出力、通信回線を介して他の情報処理機器２１へ送信する。
【００２６】
レーザプリンタ部２０はＲ、Ｇ、Ｂのレーザ光をそれぞれ出射するレーザ光源を備えており、画像処理部１８から入力された記録用画像データに応じて変調したレーザ光を印画紙に照射して、走査露光によって印画紙に画像（潜像）を形成する。またプロセッサ部２２は、レーザプリンタ部２０によって走査露光された印画紙に対し、発色現像、漂白定着、水洗、乾燥の各処理を施す。これにより、印画紙上に形成された潜像が現像されて可視像となる。
【００２７】
ネガフイルムのベースにはオレンジマスクがかかっている。これがリバーサルフイルムとネガフイルムとの差であり、それをＬＥＤ各色の点灯時間や点灯電流で制御している。具体的にはリバーサルフイルムを読む場合、Ｒ光は変えずにＢ光、Ｇ光の比率を抑えるようにしている。
【００２８】
図６はリバーサルフイルム読み取り時のＬＥＤに流す電流値の一例を示すものである。リバーサルフイルムを読む場合、Ｇ光源はネガフイルムの読み取りに対して０．５倍、Ｂ光源はネガフイルムの読み取りに対して０．３倍としている。また画像処理部１８では、ネガフイルムとリバーサルフイルムではハイライト・シャドーの画像データが反転するなど、セットアップアルゴリズムが別になるので、各々の画像データに合ったセットアップをかけるようアルゴリズムを切替える。
【００２９】
図７に示すように、画像読取装置１０の下流の搬送路には仕分け部１５が設けられている。仕分け部１５には蓋１５１と駆動機構１５２が設けられている。この蓋１５１は搬送路の底面を構成する。駆動機構１５２は進退動するシリンダであり、このシリンダアームの進退によって蓋１５１が開閉される。蓋１５１の斜め下方には写真フイルムを収容するフイルム収納部１２が設けられている。写真フイルムは蓋１５１が開いているときに、蓋１５１に案内されてフイルム収納部１２に収容されるようになっている。
【００３０】
駆動機構１５２の制御は、スキャナ制御部１７によって行われる。画像読取装置１０に送り込まれる次のフイルムがネガフイルムの場合には、スキャナ制御部１７から駆動機構１５２へ、蓋１５１を閉じるよう指令が出る。そしてネガフイルムは下流のネガカッターインサータ部６０に送り込まれる。一方、画像読取装置１０に送り込まれる次のフイルムがリバーサルフイルムの場合には、スキャナ制御部１７から駆動機構１５２へ、蓋１５１を開けるよう指令が出る。そしてリバーサルフイルムは蓋１５１に案内されてフイルム収納部１２に収容される。
【００３１】
図８に示すように、オートネガカッタインサータ部６０は、仕分け部１５の下流の搬送路に設けられたカッタ部６２と、このカッタ部６２の搬送方向の下流側に設けられたインサータ部６４とで構成されている。カッタ部６２は、ネガフイルムの画面を検出するカッタ部６２のセンサ６６によって、フイルムコマ数及びフイルムコマ間位置を認識し、カッタ部６２のロータリカッタ６８を作動させて所定コマ毎に切断する機能を有している。１本分の写真フイルムが切断されてなるピースフイルムＰは、図示しない搬送手段によってインサータ部６４へと搬送される。
【００３２】
インサータ部６４には、袋体７１を連続してなるシート（フイルムシート）７２が一対のドラム７０の周りに層状に巻き取られて収容されており、カッタ部６２からピースフイルムＰを搬送する搬送路４６に袋体７１が順次対応するようにドラム７０を駆動する。これにより、ピースフイルムＰは、順次袋体７１へ収容され、写真フイルム１本分毎にシート７２がカットされるようになっている。
【００３３】
図１０を用いてフイルム種別による搬送制御切替えを説明する。（１）オーダー番号からフイルム種別を引き当てる（Ｓｔｅｐ１）。フイルム種別がネガフイルムか否かを判断する（Ｓｔｅｐ２）。ネガフイルムの場合には下流側搬送制御１を選択する（Ｓｔｅｐ３）。フイルム種別がリバーサルフイルムの場合には下流側搬送制御２を選択する（Ｓｔｅｐ４、５）。フイルム種別がネガフイルムでもなくリバーサルでもない場合、あるいはフイルム種別情報が空欄や解読不能であった場合は、スキャナ制御部１７からアラーム１３へ異常信号を出力し（Ｓｔｅｐ６）、下流側搬送制御は搬送制御２を選択する（Ｓｔｅｐ７）。
【００３４】
アラーム１３の異常信号に対応してオペレータは、異常信号を発生させたフイルムを目視で確認して、ネガフイルムか否かを確認する。確認した結果、ネガフイルムでない場合には、異常信号のみを解除すべく図示しない入力手段で異常解除操作を行う。一方異常信号が発生したフイルムを目視確認した結果、ネガフイルムである場合には、図示しない入力手段で、現在の下流側搬送制御選択を搬送制御２から搬送制御１へ切替え、更に異常解除操作を行う。
【００３５】
次に下流側搬送制御１を選択した場合について図１１を用いて説明する。現在の下流側搬送制御情報を入手する（Ｓｔｅｐ１）。前記情報が搬送制御１である場合、オートフイルムローダ３０から次のフイルムが画像読取装置１０に送り込まれても、下流側の搬送制御の切替えは不要である（Ｓｔｅｐ２）。現在の下流側搬送制御が搬送制御１以外の場合は、次に下流側搬送制御切替え信号がＯＮになるのを待つ（Ｓｔｅｐ３）。そして前記切替え信号がＯＮになった段階で、スキャナ制御部１７は駆動機構１５２を制御して蓋１５１を閉じる（Ｓｔｅｐ４）。そしてフイルムはネガカッターインサータへ送られる。
【００３６】
次に下流側搬送制御２を選択した場合について図１２を用いて説明する。現在の下流側搬送制御情報を入手する（Ｓｔｅｐ１）。前記情報が搬送制御２である場合には、オートフイルムローダ３０から次のフイルムが画像読取装置１０に送り込まれても、下流側の搬送制御の切替えは不要である（Ｓｔｅｐ２）。現在の下流側搬送制御が搬送制御２以外の場合は、次に下流側搬送制御切替え信号がＯＮになるのを待つ（Ｓｔｅｐ３）。そして前記信号がＯＮになった段階で、スキャナ制御部１７は駆動機構１５２を制御して蓋１５１を開ける（Ｓｔｅｐ４）。そしてフイルムは蓋１５１に沿ってフイルム収納部へ送られる。
【００３７】
下流側搬送制御の切替えタイミングを説明する。画像読取装置１０で読取中のフイルム（以下フイルムＡと記す）が画像読取部１１から排出されるのを待つ。前記排出を確認した後に、オートフイルムローダ連結部３３から画像読取装置１０へ次のフイルム（以下フイルムＢと記す）を送り、画像読取部１１に新たなフイルムが入った段階で下流側搬送制御の切替え信号を出力する。
【００３８】
すなわち図１３に示すように、まずフイルム検出Ｄ４がフイルムＡの後端を検出する（Ｓｔｅｐ１）。それから所定時間後にフイルムＡは画像読取装置１０から排出される。そしてスキャナ制御部１７はＡＦＬ制御部３４にフイルムＢの送り込みを要求する。ＡＦＬ制御部３４ではスキャナ制御部１７からのフイルム送り込み要求信号を受けて、駆動モータＭ１を駆動させてフイルムＢを画像読取装置１０に送り込む。フイルムＢの先端を検出する（Ｓｔｅｐ２）。そして下流側搬送制御切替え信号を出力する（Ｓｔｅｐ３）。フイルムＢの先端は画像読取部１１にあり、仕分け部１５には到達していないので、下流側搬送制御の切替えは正常に行える。
【００３９】
フイルム種別情報から搬送制御が切替わる一連の流れを説明する。フイルム受付端末９０で例えばネガフイルムとリバーサルフイルムの２つの注文を受け付ける。その注文によって図９に示すような注文情報リストが生成されＰＣ９２に記憶される。一つ目のオーダー番号が「２３６４」であり、それに関連付けて記憶されている情報は「フイルム種別＝ネガ」「プリントサイズ＝Ｌサイズ」「プリント枚数＝各１枚」であることが分かる。２つ目のオーダー番号は「２３６５」で、フイルム種別はリバーサルフイルムである。
【００４０】
フイルム受付端末９０で受付けを済ませたフイルムの先端にはオーダー番号が印刷されたチェックテープ９３を貼る。次にフイルム現像機にかけられ、現像後にオートフイルムローダのフイルムホルダ（図示せず）にセットされる。フイルムホルダにはオーダー番号が「２３６４」と「２３６５」の２本のフイルムが連続してセットされる。スキャナ制御部１７はＡＦＬ制御部３４へフイルム送り込み要求信号を送る。ＡＦＬ制御部３４は画像読取装置１０へフイルムを送り出す。現在読み取っているフイルム（フイルムＡ）のオーダー番号は「２３６４」である。また次の新たなフイルム（フイルムＢ）としてオーダー番号「２３６５」のフイルムがオートフイルムローダのフイルム検出Ｄ３で検出されて停止している。
【００４１】
フイルムＡのフイルム種別はネガフイルムである。下流側は搬送制御１が選択されて蓋１５１は閉じており、画像読み取り後にフイルムＡの先端はネガカッターインサータ６０に送り込まれる。ネガカッターインサータ６０ではネガフイルムの画像を検出し、６コマ分が貯まった段階でネガカッターによりコマ間をカットする。そしてネガピースに整形し、ネガシートに挿入する。
【００４２】
ネガピースは次のように分ける。フイルムの先頭から最初に写しこまれた画像コマの先頭側エッジまでが１本目のピースとなる。従って１本目のピースには画像コマは含まれない。次のネガピースに１コマ目の画像が含まれ６コマ単位でカットされる。例えば２７枚撮りの場合には４本の６コマネガピースができ上がり、端数の３コマとフイルム後端部分までが最後のネガピースとなる。そして最後のネガピースがネガシートに挿入されるとネガシート完了信号がネガカッターインサータ６０の制御部１３から画像読取装置１０のスキャナ制御部１７へ送られる。
【００４３】
フイルムＢはリバーサルフイルムであり、下流側は搬送制御２が選択されている。フイルム検出Ｄ４がフイルムＡの後端を検出したら、スキャナ制御部１７はオートフイルムローダ３６へ、フイルムＢを画像読取装置１０へ送り込むフイルム送り込み要求信号を送る。オートフイルムローダ３６はバーコードリーダＤ２で停止しているオーダー番号「２３６５」のリバーサルフイルムを画像読取装置１０へ送り出す。フイルム検出センサＤ４がフイルムＢの先端を検出したら、画像読取装置１０は下流側搬送制御をリバーサルフイルム用に切替えるよう切替え信号を仕分け部１５に出力する。仕分け部１５では、リバーサルフイルムはフイルム収納部１２に送り込むために、蓋１５１を開けるよう駆動機構１５２を制御する。
【００４４】
ラボ店に持ち込まれる写真フイルムはネガフイルムの方がリバーサルフイルムより多く、蓋１５１は開いている時間の方が閉じた状態より短い。従って蓋を駆動する駆動機構１５２はＯＮする時間が短いほど駆動機構１５２の寿命が長くなる。従って駆動機構１５２はＯＮ信号で蓋１５１が開くように設計することが好ましい。
【００４５】
画像読取装置１０はフイルムＢがリバーサルフイルムであることがわかるので、画像読取部１１の光源部１９のＲ光，Ｂ光，Ｇ光を発するＬＥＤ光源の各電流値のうち、Ｂ光，Ｇ光の電流値を変更する。画像読取装置１０のフイルム搬送部はリバーサルフイルムを搬送して画面位置を検出して読取位置に画像コマを停止させる。そしてＬＥＤ光源のＲ光、Ｇ光、Ｂ光を各々独立に点灯させて、ＣＣＤスキャナ１６は停止したフイルムに記録されている画像を読み取る。読取った各単色の画像情報はメモリーに記憶する。またＣＣＤスキャナ１６はＩＲ光を点灯させてＩＲ画像情報として読み取り、メモリーに記憶する。
【００４６】
一コマの画像が読み終わったら、フイルム搬送部は次のコマの画面位置を検出して読取位置に次の画像コマを停止させて、読取動作を繰り返す。フイルムＢの先端部は徐々に下流側に送られ、仕分け部１５に到達する。仕分け部では蓋１５１が搬送路の底面を形成しており、その蓋１５１が開いた状態となっている。到達したフイルムＢの先端はその蓋１５１に沿って案内され、フイルム収納部１２に収納される。なお、上記では読み取りエリアにフイルムを停止させて画像を読み取るエリアＣＣＤ方式を取上げたが、読み取りエリアをフイルムの長手方向に精密搬送しながら画像を読み取るラインＣＣＤ方式であってもよい。
【００４７】
上記の一連の動作によってネガフイルムとリバーサルフイルムを混在させてオートフイルムローダにセットして画像読取装置１０に送り込み、ネガフイルムとリバーサルフイルムの画像の読み取りを行っても、ネガフイルムはネガカッターインサータ６０へ、リバーサルフイルムはフイルム収納部１２へ自動的に排出される。画像読取装置１０から排出されたネガフイルムとリバーサルフイルムとを、フイルム種別に基づいて効率良く仕分けることができ、単位時間あたりの写真フイルムの処理量を大幅に向上させることができる。
【００４８】
なお、バーコードリーダＤ２がバーコードの読み取りができなかったときは、読み取りを再実行させる。すなわち、ＡＦＬ制御部３４がバーコードリーダＤ２へスキャン開始指令を出し、所定時間を経過してもスキャン完了信号が戻ってこない場合、ＡＦＬ制御部３４は読み取りエラーと判断し、再読取制御を実行する。ＡＦＬ制御部３４は搬送モータＭ１に指令を出してフイルムを一度逆転搬送させて、フイルム検出Ｄ１がフイルムを検出するところまで戻す。そしてフイルムを正転搬送させて、フイルム検出Ｄ１でフイルムを検出させて、バーコードリーダＤ２へスキャン開始指令を出す。再読取制御を実行してもバーコード情報９５が読み取れなかった場合に、ＡＦＬ制御部３４はオペレータに異常を知らせるべくアラーム３５へアラーム信号を出す。
【００４９】
アラーム３５からアラームが出力されると、オペレータは読み取り異常を起したフイルムの先端に貼ってあるバーコードの４桁の数字を読み、図示しない入力手段にて入力する。またはハンディータイプのバーコードリーダでバーコード情報９５を読み込ませる。
【００５０】
なお、形態１ではバーコードテープとバーコードリーダでオーダー番号の情報伝達を行ったが、更に伝達する情報量を増やすには、二次元バーコードと二次元バーコードリーダ、半導体チップが埋め込まれたテープと非接触型リーダでもよい。そうすることで注文情報の全てをフイルムに貼るテープに記録することができ、ＰＣ９２への問合せが不要になる。
【００５１】
また図１４に示すように、画像読取装置１０内の画像処理部１８でフイルム種別の判別を行うようにしてもよい。画像読取部１１で読み取った画像データは画像処理部１８に送られる。画像処理部１８では、読み取った画像データがネガフイルムか、それ以外かを既知の技術で判別し、その結果をスキャナ制御部１７へ出力する。スキャナ制御部１７では、画像処理部１８から送られてきたフイルム種別判別結果から、仕分け部１５へ下流側搬送制御切替え制御信号を送る。
【００５２】
この実施形態では、画像読取部１１で読み取られた写真フイルムは、画像処理部１８でフイルム種別が判別されるので、注文受付時での情報入力、チェックテープ９３やバーコードリーダを設ける必要がなく、システムの簡素化が図れる。
【図面の簡単な説明】
【００５３】
【図１】本願の写真フイルム処理システム図である。
【図２】本願の写真フイルム受付処理の流れを説明した図である。
【図３】フイルムに貼るチェックテープを説明した図である。
【図４】本願の写真フイルム処理制御図である。
【図５】ＡＦＬ連結部と画像読取装置間の制御図である。
【図６】リバーサルフイルム読み取り時のＬＥＤ電流値表である。
【図７】分岐路の底面を構成する蓋、及びこの蓋を開閉させる駆動機構を示す仕分け部１５の斜視図である。
【図８】オートネガカッタインサータ部を示す斜視図である。
【図９】オーダー番号順に記憶された注文情報リストである。
【図１０】フイルム種別搬送制御切替えでオーダー情報からフイルム種を引き当て、下流側の搬送制御を切替えるフローの説明図である。
【図１１】下流側搬送制御１を選択した場合の切替え制御フロー図である。
【図１２】下流側搬送制御２を選択した場合の切替え制御フロー図である。
【図１３】フイルム種別搬送制御切替えのタイミングを説明するフロー図である。
【図１４】画像処理部でフイルム種別を判断する画像読取装置の構成図である。
【図１５】従来の写真フイルム処理システムである。
【符号の説明】
【００５４】
１０  画像読取装置（フイルムワーキング手段）
１２  フイルム収納部
１５  仕分け部
３０  オートフイルムローダ
６０  ネガカッターインサータ
７２  フイルムシート
９３  チェックテープ
９５  チェックテープのバーコード
１５１  蓋
１５２  駆動機構
Ｄ２  バーコードリーダ
【図１】
2006091751.tif 000003
【図２】
2006091751.tif 000004
【図３】
2006091751.tif 000005
【図４】
2006091751.tif 000006
【図５】
2006091751.tif 000007
【図６】
2006091751.tif 000008
【図７】
2006091751.tif 000009
【図８】
2006091751.tif 000010
【図９】
2006091751.tif 000011
【図１０】
2006091751.tif 000012
【図１１】
2006091751.tif 000013
【図１２】
2006091751.tif 000014
【図１３】
2006091751.tif 000015
【図１４】
2006091751.tif 000016
【図１５】
2006091751.tif 000017